(57)【要約】【課題】当接音の発生を抑制させたキーユニットを提供する。【解決手段】キーユニット１は、施錠及び解錠するためのキープレート１１及びキープレート１１の一端部に固定されたロータ部材１３を有するメカニカルキー１０と、ロータ部材１３に一体回転可能及び回転軸線方向移動可能に嵌合されるリリースボタン２７と、メカニカルキー１０の格納位置及び完全展開位置の間でリリースボタン２７を回転中心としてロータ部材１３を支持するケース２０と、一端部がメカニカルキー１０に固定されるとともに、他端部がケース２０に固定され、リリースボタン２７を一体回転方向及び回転軸線方向に付勢する弾性部材２８と、ケース２０の完全展開位置側に設けられ、メカニカルキー１０が格納位置から完全展開位置に達する間に弾性部材２８の力に対して反対方向の力を作用させる緩衝弾性部材２９とを備えている。【選択図】図２
2016104940.tif 000002
【特許請求の範囲】
【請求項１】
施錠及び解錠するためのキープレート及び前記キープレートの一端部に固定されたロータ部材を有するメカニカルキーと、
前記ロータ部材に一体回転可能及び回転軸線方向移動可能に嵌合されるリリースボタンと、
前記メカニカルキーの格納位置及び完全展開位置の間で前記リリースボタンを回転中心として前記ロータ部材を支持するケースと、
一端部が前記メカニカルキーに固定されるとともに、他端部が前記ケースに固定され、前記リリースボタンを一体回転方向及び回転軸線方向に付勢する弾性部材と、
前記ケースの前記完全展開位置側に設けられ、前記メカニカルキーが前記格納位置から前記完全展開位置に達する間に前記弾性部材の力に対して反対方向の力を作用させる緩衝弾性部材と、
を備えたことを特徴とするキーユニット。
【請求項２】
前記ケースは、前記リリースボタンを挿入する挿入孔の開口周辺部に前記格納位置と前記完全展開位置とに対応して係脱凹部を有し、
前記リリースボタンは、前記ロータ部材の回転を規制する規制突部を有し、
前記係脱凹部は、前記弾性部材によって前記規制突部を係脱可能に案内する斜面を有していることを特徴とする請求項１記載のキーユニット。
【請求項３】
前記リリースボタンは、キャップ状に形成され、
前記弾性部材は、前記リリースボタンの内部に挿入される略円筒形状を有していることを特徴とする請求項１又は２記載のキーユニット。
【請求項４】
前記弾性部材は、前記メカニカルキーを前記格納位置から前記完全展開位置の回転方向に付勢する力と、前記リリースボタンを回転軸線方向に付勢する力とが付与される圧縮トーションスプリングからなることを特徴とする請求項１〜３のいずれかに記載のキーユニット。
【請求項５】
前記緩衝弾性部材は、トーションスプリングからなることを特徴とする請求項１記載のキーユニット。
【発明の詳細な説明】
【技術分野】
【０００１】
本発明は、ケースの内部にメカニカルキーを回転収納可能なキーユニットに関する。
【背景技術】
【０００２】
ケースの内部にメカニカルキーを回転収納可能なキーユニットの一例としては、例えば特許文献１に記載されたキーユニットが提案されている。
【０００３】
上記特許文献１に記載のキーユニットは、キープレートを格納する格納位置からキープレートを突出させる突出位置にねじりばねで付勢して回動させるキーヘッドを有するメカニカルキーを把持ケースの内部に支持している。把持ケースには、メカニカルキーの回動を規制するリリースボタンがケース表面側に付勢するコイルばねを介して支持されるとともに、キーヘッドに係脱可能に嵌合されている。
【０００４】
リリースボタンをコイルばねのばね力に抗して押し込み操作することで、メカニカルキーの回動規制が解除され、メカニカルキーがねじりばねのばね力により格納位置から突出位置側に自動的に回動するようになっている。突出位置側にねじりばねで付勢されるメカニカルキーの回動端は、把持ケースに当接させることによって規制される。
【先行技術文献】
【特許文献】
【０００５】
【特許文献１】特開２００７−２５５０１４号公報
【発明の概要】
【発明が解決しようとする課題】
【０００６】
上記特許文献１に記載のキーユニットは、突出位置側にねじりばねで付勢されるメカニカルキーの回動力を把持ケースでダイレクトに受ける構成になっている。そのため、メカニカルキーが把持ケースに勢いよく衝突して大きな当接音が発生することになる。従って、メカニカルキーが把持ケースに当接する際に発生する当接音を低減させたいという要望がある。
【０００７】
本発明の目的は、当接音の発生を抑制させたキーユニットを提供することにある。
【課題を解決するための手段】
【０００８】
［１］本発明は、施錠及び解錠するためのキープレート及び前記キープレートの一端部に固定されたロータ部材を有するメカニカルキーと、前記ロータ部材に一体回転可能及び回転軸線方向移動可能に嵌合されるリリースボタンと、前記メカニカルキーの格納位置及び完全展開位置の間で前記リリースボタンを回転中心として前記ロータ部材を支持するケースと、一端部が前記メカニカルキーに固定されるとともに、他端部が前記ケースに固定され、前記リリースボタンを一体回転方向及び回転軸線方向に付勢する弾性部材と、前記ケースの前記完全展開位置側に設けられ、前記メカニカルキーが前記格納位置から前記完全展開位置に達する間に前記弾性部材の力に対して反対方向の力を作用させる緩衝弾性部材と、を備えたことを特徴とするキーユニットにある。
【０００９】
［２］上記［１］記載の前記ケースは、前記リリースボタンを挿入する挿入孔の開口周辺部に前記格納位置と前記完全展開位置とに対応して係脱凹部を有し、前記リリースボタンは、前記ロータ部材の回転を規制する規制突部を有し、前記係脱凹部は、前記弾性部材によって前記規制突部を係脱可能に案内する斜面を有していることを特徴とする。
【００１０】
［３］上記［１］又は［２］記載の前記リリースボタンは、キャップ状に形成され、前記弾性部材は、前記リリースボタンの内部に挿入される略円筒形状を有していることを特徴とする。
【００１１】
［４］上記［１］〜［３］のいずれかに記載の前記弾性部材は、前記メカニカルキーを前記格納位置から前記完全展開位置の回転方向に付勢する力と、前記リリースボタンを回転軸線方向に付勢する力とが付与される圧縮トーションスプリングからなることを特徴とする。
【００１２】
［５］上記［１］記載の前記緩衝弾性部材は、トーションスプリングからなることを特徴とする。
【発明の効果】
【００１３】
本発明によれば、簡単な構造で当接音の発生を抑制させることができる。
【図面の簡単な説明】
【００１４】
【図１】本発明に好適な実施の形態に係るキーユニットの外観を示す図である。
【図２】実施の形態に係るキーユニットの内部を示す部分斜視図である。
【図３】図１のＩＩＩ−ＩＩＩ線矢視の内部断面拡大図である。
【図４】（ａ）は、実施の形態に係るキーユニットのリリースボタンを上ケースの裏面側からみたときの部分斜視図であり、（ｂ）は、リリースボタンが上ケースに係合する状態を説明するための図である。
【図５】実施の形態に係るキーユニットの動作を説明するための図１のＩＩＩ−ＩＩＩ線矢視断面に対応する図であって、（ａ）は、リリースボタン操作前の状態を示す内部断面拡大図、（ｂ）は、リリースボタン操作時の状態を示す内部断面拡大図、（ｃ）は、リリースボタン操作後の状態を示す内部断面拡大図である。
【図６】実施の形態に係るキーユニットの動作を説明するための図であって、（ａ）は、メカニカルキーの格納状態を示す内部平面図、（ｂ）は、メカニカルキーの展開状態を示す内部平面図、（ｃ）は、（ｂ）の次のメカニカルキーの展開状態を示す内部平面図、（ｄ）は、メカニカルキーの完全展開状態を示す内部平面図である。
【図７】実施の形態に係るキーユニットの緩衝弾性部材を示す斜視図である。
【図８】実施の形態に係るキーユニットのメカニカルキーの回転角度と、弾性部材のトーション力と、緩衝弾性部材のトーション力と、緩衝力との関係を説明するための図である。
【発明を実施するための形態】
【００１５】
以下、本発明の好適な実施の形態を添付図面に基づいて具体的に説明する。
【００１６】
（キーユニットの全体構成）
図１において、全体を示す符号１は、例えば車両に配置されたシリンダ錠を機械的な操作により施錠又は解錠するメカニカルキー１０をケース２０の内部に回転格納可能なキーユニットの外観を示している。
【００１７】
ケース２０は、上ケース２１と下ケース２２とを有しており、上ケース２１及び下ケース２２を嵌合した状態で、図示しない固定手段により固定されている。
【００１８】
上ケース２１の上面には、４つのスイッチボタン２３〜２６が押し込み操作可能に設けられている。ケース２０及びスイッチボタン２３〜２６は、例えばＡＢＳやＰＣ等の樹脂材料からなる。
【００１９】
図示例によるキーユニット１は、例えば車両に配置された施錠装置を電気的に施錠制御及び解錠制御する制御装置等を無線通信により遠隔操作する携帯機に適用できるものであり、スイッチボタン２３〜２６の裏面中央部には、図示しない回路基板に実装されたタクトスイッチを作動させる作動突部が形成されている。
【００２０】
スイッチボタン２３〜２６としては、例えば車両のドアのロック・アンロックを行うためのロックボタン・アンロックボタンやラゲージドアのアンロック（オープン）を行うためのラゲージボタン等がある。
【００２１】
上ケース２１の上面には更に、円形の挿入孔２１ａが貫通して形成されており、メカニカルキー１０の回転を許容及び規制するためのリリースボタン２７が挿入孔２１ａを介して配置されている。
【００２２】
メカニカルキー１０は、図２及び図３に示すように、長尺板状のキープレート１１と、キープレート１１の一端部にピン１２を介して固定された略四角筒状のロータ部材１３とからなる。キープレート１１の材質は、例えば洋白等の金属材料からなる。ロータ部材１３の材質は、例えば亜鉛ダイカスト等の金属材料からなる。
【００２３】
ロータ部材１３の中間部には、リリースボタン２７に嵌合される円形の貫通孔１３ａが貫通して形成されており、貫通孔１３ａと連通する一対の規制孔１３ｂ，１３ｂが周方向に１８０°の位相差をもって貫通して形成されている。
【００２４】
リリースボタン２７の下部には、周方向に１８０°の位相差をもって一対の規制突部２７ａ，２７ａが突出して形成されている。各規制突部２７ａには、ロータ部材１３の規制孔１３ｂが嵌合されており、メカニカルキー１０は、リリースボタン２７を回転中心軸としてケース２０の側壁に開口する部品格納空間２０ａ内に回転格納可能に支持されている。
【００２５】
リリースボタン２７は、例えば亜鉛ダイカスト等の金属材料からなる長いキャップ状に形成されており、リリースボタン２７の内部底面が下ケース２２の内部底面に立設された支持ボス部２２ａを形成する筒状の支持部に弾性部材である圧縮トーションスプリング２８を介して支持されている。
【００２６】
この圧縮トーションスプリング２８は、リリースボタン２７の内部に挿入される略円筒形状のコイル部２８ａと、一対のバネ端部２８ｂ，２８ｂとを有している。各バネ端部２８ｂは、リリースボタン２７の内部と下ケース２２の支持ボス部２２ａの支持部とに固定されている。
【００２７】
メカニカルキー１０には、圧縮トーションスプリング２８により、ケース２０の部品格納空間２０ａ内に格納された格納位置から完全に展開した完全展開位置の回転方向に付勢するトーション力と、回転軸線方向に付勢する圧縮力とが付与される。
【００２８】
上ケース２１の挿入孔２１ａの下部開口周辺部には、図４（ａ）に示すように、圧縮トーションスプリング２８のばね力に抗してリリースボタン２７の各規制突部２７ａの摺動面を摺動させる円環状の摺動段部２１ｂが突出して形成されている。摺動段部２１ｂには、リリースボタン２７の各規制突部２７ａを係脱する一対の係脱凹部２１ｃ，２１ｃが周方向に１８０°の位相差をもって形成されている。
【００２９】
上ケース２１における係脱凹部２１ｃの回転方向の開口端部には、摺動段部２１ｂから下傾斜する斜面２１ｄが形成されている。斜面２１ｄは、係脱凹部２１ｃにリリースボタン２７の規制突部２７ａを圧縮トーションスプリング２８のばね力により自動的に嵌合させるためのカム面として機能する。
【００３０】
上ケース２１の係脱凹部２１ｃは、メカニカルキー１０の格納位置と完全展開位置とにおいてリリースボタン２７の各規制突部２７ａを嵌め込み保持することで、メカニカルキー１０の姿勢を保持する機能を有している。
【００３１】
ロータ部材１３の上ケース側対向面には、図２及び図４（ａ）に示すように、メカニカルキー１０の回転範囲を規制する回転ストッパ１３ｃがリリースボタン２７の一対の規制突部２７ａの位置と同一直線上に突出して形成されている。
【００３２】
一方、上ケース２１のロータ部材側対向面には、メカニカルキー１０の完全展開位置でロータ部材１３の回転ストッパ１３ｃの回転を阻止するストッパ凹部２１ｅがリリースボタン２７を中心とする半円弧状に形成されている。
【００３３】
（キーユニットの動作）
以上のように構成されたキーユニット１のメカニカルキー１０を格納位置から完全展開位置に回転操作する際には、図３、図４（ａ）及び図４（ｂ）、図５（ａ）〜図５（ｃ）並びに図６（ａ）〜図６（ｄ）に示すように、圧縮トーションスプリング２８のばね力に抗してリリースボタン２７を押し込み操作することで、リリースボタン２７の規制突部２７ａと上ケース２１の係脱凹部２１ｃとの係止状態が解除される。
【００３４】
リリースボタン２７の規制突部２７ａは、リリースボタン２７を押し込んだ状態でも、ロータ部材１３の規制孔１３ｂに係合されたままの状態に保持されており、リリースボタン２７の押し込み操作を解除した状態でも、リリースボタン２７の規制突部２７ａの摺動面は、圧縮トーションスプリング２８のばね力により上ケース２１の摺動段部２１ｂに弾性的に接触する。
【００３５】
従って、リリースボタン２７の規制突部２７ａの摺動面が、圧縮トーションスプリング２８のばね力に抗して上ケース２１の摺動段部２１ｂを摺動しながら、メカニカルキー１０が格納位置から外側へ飛び出して完全展開位置へ自動的に回転することになる。
【００３６】
メカニカルキー１０が完全展開位置に到達したときは、リリースボタン２７の規制突部２７ａが圧縮トーションスプリング２８のばね力により斜面２１ｄを介して上ケース２１の係脱凹部２１ｃに嵌合して位置規制され、リリースボタン２７が押し込み操作可能な元の位置に復帰してメカニカルキー１０の姿勢が保持される。
【００３７】
圧縮トーションスプリング２８のトーション力によるメカニカルキー１０の完全展開位置への回転は、ロータ部材１３の回転ストッパ１３ｃが上ケース２１のストッパ凹部２１ｅの一端面に達することで規制される。
【００３８】
一方、メカニカルキー１０を完全展開位置から格納位置に格納する際は、圧縮トーションスプリング２８のばね力に抗してリリースボタン２７を押し込んでメカニカルキー１０を完全展開位置から格納位置に手動で回転操作することで、リリースボタン２７の規制突部２７ａと上ケース２１の係脱凹部２１ｃとの係止状態が解除される。
【００３９】
リリースボタン２７の規制突部２７ａは、リリースボタン２７を押し込んだ状態でも、ロータ部材１３の規制孔１３ｂに係合されたままの状態に保持されており、メカニカルキー１０を格納位置に向けて手動で回転操作しても、リリースボタン２７の規制突部２７ａの摺動面は、圧縮トーションスプリング２８のばね力により上ケース２１の摺動段部２１ｂに弾性的に接触する。
【００４０】
従って、手動操作により、圧縮トーションスプリング２８のばね力に抗してリリースボタン２７の規制突部２７ａの摺動面を上ケース２１の摺動段部２１ｂに摺動させながら、メカニカルキー１０を完全展開位置から格納位置へ回転操作させることになる。
【００４１】
メカニカルキー１０が格納位置に到達したときは、リリースボタン２７の規制突部２７ａが圧縮トーションスプリング２８のばね力により斜面２１ｄを介して上ケース２１の係脱凹部２１ｃに嵌合して位置規制され、リリースボタン２７が押し込み操作可能な元の位置に復帰してメカニカルキー１０の姿勢が保持される。
【００４２】
以上のように構成されたキーユニット１によると、単一の圧縮トーションスプリング２８により、メカニカルキー１０をケース２０の格納位置から完全展開位置へ回転する方向に付勢する回転手段と、メカニカルキー１０をケース２０の格納位置及び完全展開位置に保持する保持手段とが構成される。
【００４３】
単一の圧縮トーションスプリング２８を採用することで、簡単な内部構成とすることができるとともに、ケース２０の狭小な内部空間を有効利用することができるようになり、構成部品点数の削減及びキーユニット１の小型化を図ることも可能になる。
【００４４】
（当接音低減構造）
ケース２０の部品格納空間２０ａを形成する開口端面には、図２、図６（ａ）〜図６（ｄ）及び図７に示すように、メカニカルキー１０の完全展開位置でロータ部材１３の回転を阻止するストッパ面２０ｂが形成されている。
【００４５】
メカニカルキー１０が圧縮トーションスプリング２８のトーション力によりケース２０から外側へ飛び出してロータ部材１３がケース２０のストッパ面２０ｂに勢いよく衝突すると、その衝撃荷重により大きな当接音が発生することになる。この当接音は、使用者に違和感や不快感を与えてしまう。
【００４６】
そこで、上記のように構成されたキーユニット１は、メカニカルキー１０とケース２０とが当接する際に発生する当接音を低減させる構造を備えている。
【００４７】
ケース２０には、図２及び図６（ａ）〜図６（ｄ）に示すように、メカニカルキー１０が格納位置から完全展開位置に達する間にメカニカルキー１０のロータ部材１３の側面を受止可能な緩衝弾性部材２９が配置されている。ロータ部材１３の側面は、メカニカルキー１０の格納位置から緩衝弾性部材２９と干渉を開始する干渉開始位置までの領域に対応してリリースボタン２７を回転中心とする円弧面に形成されている。
【００４８】
この緩衝弾性部材２９は、下ケース２２の内部底面に立設された取付ボス２２ｂに支持されており、圧縮トーションスプリング２８のトーション力に対して反対方向のトーション力を作用させることでメカニカルキー１０のロータ部材１３による衝撃荷重を吸収するトーションスプリングとして構成されている。
【００４９】
緩衝弾性部材２９は、トーション力を発生するコイル部２９ａと、コイル部２９ａの両端から拡径方向に延びる一対のバネ端部２９ｂ，２９ｂとからなる。一対のバネ端部２９ｂのうち、メカニカルキー１０のロータ部材１３の側面に干渉する側のバネ端部２９ｂの先端部は、ロータ部材１３の回転軸線方向に屈曲して形成された屈曲端部２９ｃを有している。
【００５０】
緩衝弾性部材２９の屈曲端部２９ｃは、メカニカルキー１０のロータ部材１３に対する引っ掛かりを防止する役目を果たす。ロータ部材１３や緩衝弾性部材２９に擦過傷や摩耗等を発生させることも、その擦過傷や摩耗等によりロータ部材１３及び緩衝弾性部材２９間にガタツキを発生させることもなくなり、安定した円滑な操作性を確保することが可能になる。
【００５１】
緩衝弾性部材２９としては、圧縮トーションスプリング２８のテンション（ばね力）よりも小さいテンションを有するトーションスプリングが用いられる。緩衝弾性部材２９には、例えば板ばね又はコイルばねからなる金属部材を用いることが好適であるが、ゴム部材を用いても構わない。
【００５２】
ここで、図８を参照すると、同図には、メカニカルキー１０の回転角度、圧縮トーションスプリング２８のトーション力、緩衝弾性部材２９のトーション力、及び緩衝力の関係が例示されている。
【００５３】
図８において、符号Ｔ１は、圧縮トーションスプリング２８のトーション力であり、符号Ｔ２は、緩衝弾性部材２９のトーション力であり、符号Ｔ３は、メカニカルキー１０のロータ部材１３に作用する緩衝力である。
【００５４】
符号θ１は、メカニカルキー１０のロータ部材１３による衝撃荷重を吸収するために、ロータ部材１３の側面と緩衝弾性部材２９との干渉を開始する回転角度であり、符号θ２は、メカニカルキー１０の完全展開位置の回転角度である。図示例に特に限定されるものではないが、回転角度θ１は、例えば約１６０°程度に設定される。回転角度θ２は、例えば約１８０°程度に設定される。
【００５５】
メカニカルキー１０の回転角度θ１において、ロータ部材１３が緩衝弾性部材２９に接触して圧縮トーションスプリング２８のトーション力との干渉が始まると、緩衝弾性部材２９の各バネ端部２９ｂは、圧縮トーションスプリング２８のトーション力に抗して圧縮方向に押圧される。
【００５６】
この緩衝弾性部材２９のトーション力は、メカニカルキー１０が完全展開位置に達する途中の展開位置において緩衝（ダンパ）力Ｔ３として作用し、干渉域θ１θ２間においてメカニカルキー１０のロータ部材１３の衝撃力が吸収されることになる。この緩衝弾性部材２９のダンパ作用が、メカニカルキー１０のロータ部材１３の回転をゆっくり減速させるとともに、そのロータ部材１３がケース２０のストッパ面２０ｂに勢いよく衝突することに起因するメカニカルキー１０の衝撃を緩和させている。
【００５７】
（実施の形態の効果）
以上のように構成されたキーユニット１によれば、上記効果に加えて以下の効果が得られる。
【００５８】
メカニカルキー１０のロータ部材１３の完全展開位置側の側面に対向してケース２０内に１つの緩衝弾性部材２９を追加する簡単な構造により当接音低減構造を得ることができる。
【００５９】
メカニカルキー１０の完全展開位置に達する途中の展開位置で圧縮トーションスプリング２８のトーション力を徐々に下げていくことで、メカニカルキー１０を静かに完全展開状態にすることができるようになり、ラグジュアリー感覚（高級感）を得ることができる。
【００６０】
［変形例］
本発明におけるキーユニット１の代表的な構成例を実施の形態及び図示例等を挙げて説明したが、次に示すような変形例も可能である。
【００６１】
リリースボタン２７の周方向に１８０°の位相差をもって一対の規制突部２７ａを配置した構成を例示したが、例えば上ケース２１の係脱凹部２１ｃがメカニカルキー１０の格納位置及び完全展開位置に対応して設けられているならば、規制突部２７ａの配置個数としては１個だけであっても構わない。
【００６２】
リリースボタン２７の内部に圧縮トーションスプリング２８を挿入した構成例を例示したが、例えばリリースボタン２７と下ケース２２との間のロータ部材１３の貫通孔１３ａの内部に圧縮トーションスプリング２８を介装する構成を用いることができる。
【００６３】
単一の圧縮トーションスプリング２８によりメカニカルキー１０の回転手段と保持手段とを備えた構成例を例示したが、例えばリリースボタン２７の内部に配置される一般的なコイルスプリングと、コイル部がリリースボタン２７の外周部に介装されるとともに、一方のばね端部がロータ部材１３に固定され、他方のばね端部が上ケース２１に固定されるトーションスプリングとの２個の弾性部材を用いることもできる。
【００６４】
なお、キーユニット１としては、住宅等で使用されるドアにも適用できることは勿論である。
【００６５】
以上の説明からも明らかなように、本発明における代表的な実施の形態、変形例及び図示例を例示したが、上記実施の形態、変形例及び図示例は特許請求の範囲に係る発明を限定するものではない。従って、上記実施の形態、変形例及び図示例の中で説明した特徴の組合せの全てが発明の課題を解決するための手段に必須であるとは限らない点に留意すべきである。
【符号の説明】
【００６６】
１…キーユニット、１０…メカニカルキー、１１…キープレート、１２…ピン、１３…ロータ部材、１３ａ…貫通孔、１３ｂ…規制孔、１３ｃ…回転ストッパ、２０…ケース、２０ａ…部品格納空間、２０ｂ…ストッパ面、２１…上ケース、２１ａ…挿入孔、２１ｂ…摺動段部、２１ｃ…係脱凹部、２１ｄ…斜面、２１ｅ…ストッパ凹部、２２…下ケース、２２ａ…支持ボス部、２２ｂ…取付ボス、２３〜２６…スイッチボタン、２７…リリースボタン、２７ａ…規制突部、２８…圧縮トーションスプリング、２８ａ，２９ａ…コイル部、２８ｂ，２９ｂ…バネ端部、２９…緩衝弾性部材、２９ｃ…屈曲端部
【図１】
2016104940.tif 000003
【図２】
2016104940.tif 000004
【図３】
2016104940.tif 000005
【図４】
2016104940.tif 000006
【図５】
2016104940.tif 000007
【図６】
2016104940.tif 000008
【図７】
2016104940.tif 000009
【図８】
2016104940.tif 000010